(57)【要約】      （修正有）【課題】プラント制御ロジックの全体像を、ユーザーが容易に把握することのできる制御図面表示装置を提供する。【解決手段】プラントの制御に関する制御ロジックを記述する制御図面を表示する制御図面表示装置において、プラントの運転状態に応じて、制御図面において記述された各シンボルおよび各シンボルを接続する接続線の、表示または省略を設定した、パターンテーブルを格納する省略情報格納部１０２と、プラントの運転状態を参照し、かつ、パターンテーブルにおける設定に基づいて、制御図面におけるシンボルおよび接続線の表示を省略した省略図面を生成する信号省略部１０４と、省略図面を表示する表示部１０８とを備える。【選択図】図１
2013156970.tif 000002
【特許請求の範囲】
【請求項１】
制御対象の制御に関する制御ロジックを記述する、制御図面を表示する制御図面表示装置であって、
前記制御対象の運転状態に応じて、前記制御図面において記述された各シンボルおよび各前記シンボルを接続する接続線の、表示または省略を設定した、パターンテーブルを格納するパターンテーブル格納部と、
前記制御対象の前記運転状態を参照し、かつ、前記パターンテーブルにおける設定に基づいて、前記制御図面における前記シンボルおよび前記接続線の表示を省略した、第１省略図面を生成する第１省略部と、
前記第１省略図面を表示する表示部とを備えることを特徴とする、
制御図面表示装置。
【請求項２】
前記第１省略図面における前記シンボルのうち、論理演算子でない前記シンボルをノードとし、
前記ノード同士を、前記第１省略図面における接続関係に基づいてエッジを介して接続して記述した、第２省略図面を生成する第２省略部をさらに備え、
前記表示部が、前記第２省略図面を表示することを特徴とする、
請求項１に記載の制御図面表示装置。
【請求項３】
前記第２省略図面において表示された前記ノードを、複数選択するノード選択部をさらに備え、
前記表示部が、前記ノード選択部において選択された前記ノードに挟まれた前記エッジに対応する、前記第１省略図面における前記シンボルおよび前記接続線を、前記第１省略図面における接続関係に基づいて記述した、第３省略図面を表示することを特徴とする、
請求項２に記載の制御図面表示装置。
【請求項４】
前記ノード選択部において選択された前記ノードに挟まれた前記エッジが複数存在し、複数の前記エッジに対応して前記第３省略図面がそれぞれ存在する場合、
前記表示部が、表示範囲において前記第３省略図面をスライドさせて表示することを特徴とする、
請求項３に記載の制御図面表示装置。
【請求項５】
前記制御対象の運転状態を選択する運転状態選択部をさらに備え、
前記第１省略部が、前記運転状態選択部において選択された前記制御対象の運転状態を参照し、かつ、前記パターンテーブルにおける設定に基づいて前記第１省略図面を生成することを特徴とする、
請求項１〜４のいずれかに記載の制御図面表示装置。
【発明の詳細な説明】
【技術分野】
【０００１】
本発明は制御図面表示装置に関し、特に、プラントを監視する用途に用いられる、制御図面表示装置に関するものである。
【背景技術】
【０００２】
プラントを監視するプラント監視システムでは、プラントで行われる各工程のプロセス量が、あらかじめ設定された目標値となるように制御される。この制御に用いられるプラント制御ロジックが、当該システムにおいて組まれている。
【０００３】
プラントとプラント監視システムとにおける処理の流れとしては、プラントに設置された温度センサ、圧力センサ、流量計等により計測された計測値を示す信号（プロセス信号）が、プラントからプラント監視システムに送信され、プラント監視システムにおいて、そのプロセス信号に基づく各種の演算が行われる。
【０００４】
そして、弁（バルブ）開度の制御信号や、機器の起動、停止等に関する信号が、プラント監視システムからプラントに送信される。
【０００５】
プラント監視システムにおいて、制御対象であるプラントに関する各種の演算を行うプラント制御ロジックは、制御図面上で、信号の流れを表す接続線と、演算内容や入出力を表すシンボルとを組み合わせて、図的に記述される。
【０００６】
こうした図的な記述によってプラント制御ロジックの構成が可視化されるため、その構成が分かりやすいという特長がある。
【０００７】
しかし、記述対象であるプラント制御ロジックが大規模になると、全てを一度に見ることができなくなるため、その全体構成の把握が難しくなる。
【０００８】
制御図面に類する図的な記述を用いるものとしては、論理回路図等の回路図がある。上記の課題は回路設計の分野でも問題となっており、回路図把握の容易化のため以下のような先行文献が開示されている。
【０００９】
特許文献１では、回路図中の２つの信号を指定し、これらの間を接続する回路図だけを表示することで、表示する情報を着目したい部分に限定し、回路図の把握を容易にしている。
【００１０】
特許文献２では、ユーザーがある信号線を削除すると、その信号線を入力とする信号線、および、演算子を自動的に削除する。不要な情報を削除することで、回路図の把握を容易にしている。
【先行技術文献】
【特許文献】
【００１１】
【特許文献１】特開平５−１８９５０７号公報
【特許文献２】特開平５−２３３７４０号公報
【発明の概要】
【発明が解決しようとする課題】
【００１２】
発電プラント等では、プラントを構成する機器の数は非常に多い。また、起動時、通常運転時、停止時等のプラントの様々な運転状態に対応して機器を制御するために、プラント制御ロジックは大量かつ複雑なものとなる。
【００１３】
このような大量かつ複雑なプラント制御ロジックを示した制御図面を、当該設計者以外のユーザーが短時間で把握することは困難であった。
【００１４】
特許文献１および特許文献２では、ユーザーが着目した信号の流れを追うことは容易化されるが、ユーザーが個別に信号を指定しなければならないため、複雑な信号の組み合わせにより構成されたプラント制御ロジックの全体像を、短時間でユーザーが把握することは困難であるという問題があった。
【００１５】
本発明は、上記のような問題を解決するためになされたものであり、プラント制御ロジックの全体像を、ユーザーが容易に把握することのできる制御図面表示装置の提供を目的とする。
【課題を解決するための手段】
【００１６】
本発明に係る制御図面表示装置は、制御対象の制御に関する制御ロジックを記述する、制御図面を表示する制御図面表示装置であって、前記制御対象の運転状態に応じて、前記制御図面において記述された各シンボルおよび各前記シンボルを接続する接続線の、表示または省略を設定した、パターンテーブルを格納するパターンテーブル格納部と、前記制御対象の前記運転状態を参照し、かつ、前記パターンテーブルにおける設定に基づいて、前記制御図面における前記シンボルおよび前記接続線の表示を省略した、第１省略図面を生成する第１省略部と、前記第１省略図面を表示する表示部とを備えることを特徴とする。
【発明の効果】
【００１７】
本発明に係る制御図面表示装置によれば、前記制御対象の前記運転状態と、前記パターンテーブルにおける設定とに基づいて、前記制御図面における前記シンボルおよび前記接続線の表示を適切に省略して表示することができるため、プラント制御ロジックの全体像を、ユーザーが容易に把握することができる。
【図面の簡単な説明】
【００１８】
【図１】本発明の実施の形態１に係る制御図面表示装置の機能構成を示す構成図である。
【図２】本発明の実施の形態１に係る制御図面表示装置の省略情報格納部に格納されたテーブルの一例を示す図である。
【図３】本発明の実施の形態１に係る制御図面表示装置の制御図面格納部に格納された制御図面の一例を示す図である。
【図４】本発明の実施の形態１に係る制御図面表示装置の制御図面格納部に格納された制御図面の一例を示す図である。
【図５】本発明の実施の形態１に係る制御図面表示装置の信号省略部が省略中の制御図面の一例を示す図である。
【図６】本発明の実施の形態１に係る制御図面表示装置の信号省略部が省略中の制御図面の一例を示す図である。
【図７】本発明の実施の形態１に係る制御図面表示装置の表示部に表示される省略図面の一例を示す図である。
【図８】本発明の実施の形態１に係る制御図面表示装置の表示部に表示される省略図面の一例を示す図である。
【図９】本発明の実施の形態１に係る信号間関係格納部に格納された有向グラフの一例を示す図である。
【図１０】本発明の実施の形態１に係る制御図面表示装置の表示部に表示される、省略図面に対応する画面の一例を示す図である。
【図１１】本発明の実施の形態１に係る制御図面表示装置の表示部に表示される、省略図面に対応する画面の一例を示す図である。
【発明を実施するための形態】
【００１９】
＜実施の形態１＞
＜構成＞
本発明の実施の形態１に係る制御図面表示装置について、図を用いて説明する。
【００２０】
図１は、本発明における制御図面表示装置の機能構成例を示すブロック図である。図１に示すように制御図面表示装置は、パターン選択部１０３と、省略情報格納部１０２と、制御図面を格納する制御図面格納部１０１と、省略情報格納部１０２、パターン選択部１０３、制御図面格納部１０１の出力に基づいて制御図面における記述を省略する信号省略部１０４と、省略した図面を格納する省略図面格納部１０５と、省略図面格納部１０５に格納された省略図面に基づいて信号間の関係を抽出する信号間関係抽出部１０６と、信号間関係抽出部１０６の出力に基づいて有向グラフ（後述）を格納する信号間関係格納部１０７と、信号選択部１０９と、省略図面格納部１０５、信号間関係格納部１０７、信号選択部１０９の出力に基づいて有向グラフおよび省略図面を表示する、表示部１０８とを備える。
【００２１】
制御図面格納部１０１は、複数の制御図面を保存している。制御図面は、プラントを制御するためのプラント制御ロジックを図的に記述する図面であり、信号の流れを表す接続線と、演算内容、入出力信号等を表すシンボルとを組み合わせることで示される。
【００２２】
省略情報格納部１０２（パターンテーブル格納部）には、信号または信号群がプラントの運転状態に応じて分類され、省略情報として記述されたテーブル（パターンテーブル）が格納されている。パターンテーブルにおいては、プラントの各運転状態に応じて、利用される（記述される）信号および記述を省略される信号が、それぞれ設定されている。
【００２３】
パターン選択部１０３（運転状態選択部）では、ユーザーから入力される入力信号に基づいて、プラントの運転状態が選択される。
【００２４】
信号省略部１０４（第１省略部）では、パターン選択部１０３で選択されたプラントの運転状態に対応したパターンテーブルの設定が、省略情報格納部１０２から参照される。そして、パターンテーブルにおける設定に従って、各信号群が利用または省略される。
【００２５】
これにより、省略処理が行われた制御図面上では、「利用」される接続線およびシンボルだけが記述され、「省略」される接続線およびシンボルは記述されないことになる。このように省略処理が行われた制御図面（第１省略図面）は、省略図面格納部１０５に格納される。
【００２６】
信号間関係抽出部１０６（第２省略部）では、省略図面格納部１０５に格納された省略図面を用いて、信号間の接続関係を抽出する。さらに、抽出した接続関係に基づいて有向グラフ（第２省略図面）が生成される。
【００２７】
ここで有向グラフ（第２省略図面）とは、省略図面（第１省略図面）のうちの論理演算子を除く各シンボルをノードとして、ノード同士を、省略図面（第１省略図面）における接続線に従ってエッジで関連づけて図的に示したものである。有向グラフにおいて、エッジで示された各ノードの接続関係は、本実施の形態における信号間の接続関係（信号の伝搬関係）に対応している。
【００２８】
信号間関係格納部１０７では、信号間の接続関係として、信号間関係抽出部１０６が抽出した有向グラフが格納される。
【００２９】
表示部１０８では、省略図面格納部１０５が格納している省略図面と、信号間関係格納部１０７が格納している有向グラフとを読み込み、表示する。
【００３０】
信号選択部１０９（ノード選択部）では、ユーザーから入力される入力信号に基づいて、有向グラフにおけるノードが表す信号名が複数選択され、当該ノードに挟まれたエッジに対応する省略図面（第３省略図面）を、表示部１０８において表示させることができる。
【００３１】
また信号選択部１０９において、ノードが表す信号名が３つ以上選択される場合には、当該ノードに挟まれたエッジにそれぞれ対応する省略図面を、表示部１０８において順番に表示させることができる。
【００３２】
なお、制御図面表示装置は、例えばコンピュータにおいてインストールされることによって実現されるものであり、ＣＰＵ等によって各機能部の動作がなされる。
【００３３】
図２に省略情報格納部１０２に格納されたテーブルの一例を示す。
【００３４】
パターンテーブル２０１は、制御図面内の信号をその用途に応じて種別に分類し、通常運転時２０２、定期点検時２０３、起動時２０４等の運転状態毎に、着目すべき信号種別を分類し登録している。なお、図２に示す信号の種別および運転状態の種別は一例であり、これらの種別に限定されるものではない。
【００３５】
パターンテーブル２０１での通常運転時２０２の列では、試験用信号の「省略」と、警報抑制信号の「利用」、通信異常信号の「利用」をそれぞれ登録している。
【００３６】
定期点検時２０３の列では、試験用信号の「利用」と、警報抑制信号の「省略」、通信異常信号の「利用」をそれぞれ登録している。
【００３７】
起動時２０４の列では、試験用信号の「省略」と、警報抑制信号の「利用」、通信異常信号の「利用」をそれぞれ登録している。
【００３８】
このように、省略できる信号種別がパターンテーブル２０１に登録されている。
【００３９】
＜動作＞
図３および図４には、制御図面３０１、制御図面４０１をそれぞれ示す。
【００４０】
第１試験用信号３０２、弁１開信号３０３、水位信号３０４、水位低信号３０５の各シンボルが制御図面３０１上で、第２試験用信号４０２、水位低信号４０３、圧力低信号４０４、一致信号４０５、第１警報抑制信号４０９の各シンボルが制御図面４０１上で、それぞれ演算される。
【００４１】
制御図面３０１における論理演算子を示すシンボルとしては、水位信号３０４からの出力を受け、信号が所定の値以下になる場合に信号を出力する下限モニタ３０６、下限モニタ３０６および弁１開信号３０３の出力を受ける論理積演算子のＡＮＤゲート３０７、ＡＮＤゲート３０７および第１試験用信号３０２の出力を受ける論理和演算子のＯＲゲート３０８がある。
【００４２】
制御図面４０１における論理演算子を示すシンボルとしては、圧力低信号４０４および第２試験用信号４０２の出力を受ける論理和演算子のＯＲゲート４０６、水位低信号４０３および第２試験用信号４０２の出力を受ける論理和演算子のＯＲゲート４０７、第１警報抑制信号４０９の出力を受ける否定演算子のＮＯＴゲート４１０、ＯＲゲート４０６、ＯＲゲート４０７、ＮＯＴゲート４１０の出力を受ける論理積演算子のＡＮＤゲート４０８がある。
【００４３】
なお、水位低信号３０５は、水位低信号４０３として、制御図面３０１から制御図面４０１に伝搬している。
【００４４】
図３の制御図面３０１では、水位信号３０４が所定の値以下、すなわち、プラント内の水位が所定の高さより低くならないように、下限モニタ３０６が監視している。図３に示す弁１開信号３０３は、プラント内において設置されている弁１（図示せず）を開いた場合に入力される信号である。
【００４５】
水位信号３０４が所定の値以下となったことが下限モニタ３０６によって判断され、かつ、弁１が開状態、すなわち、弁１開信号３０３が入力されている場合に、ＡＮＤゲート３０７とＯＲゲート３０８とを介して、水位低信号３０５が入力状態となる。
【００４６】
図４の制御図面４０１では、プラント内の圧力と水位とが同時に低くならないよう監視する制御ロジックを示している。図４に示す圧力低信号４０４は、プラント内の圧力が所定の値より低くなった場合に入力される信号である。
【００４７】
水位低信号４０３と圧力低信号４０４とが入力状態となった場合、ＯＲゲート４０６およびＯＲゲート４０７を介してＡＮＤゲート４０８に両信号が入力され、圧力低と水位低との一致信号４０５が入力状態となる。以降、圧力低と水位低との一致信号を、簡単のため一致信号４０５と呼ぶ。
【００４８】
制御図面４０１では、第１警報抑制信号４０９が入力状態である場合、一致信号４０５が入力状態とならないよう設計されている。ここで第１警報抑制信号４０９とは、水位低信号４０３と圧力低信号４０４とが入力状態となることで一致信号４０５が入力状態となり、例えば警報を発するような場合に、ＡＮＤゲート４０８へＮＯＴゲート４１０を介して否定信号を入力することにより、警報を抑制するシンボルである。
【００４９】
制御図面３０１と制御図面４０１とには、それぞれ第１試験用信号３０２、および、第２試験用信号４０２がそれぞれ記述されている。第１試験用信号３０２および第２試験用信号４０２は、プラント内の水位の低下や圧力の低下によらず、水位低信号３０５や一致信号４０５を入力状態とすることができるシンボルであり、プラント制御ロジックの正常な動作を確認する等の用途で用いられる。
【００５０】
第１試験用信号３０２が入力状態となると、水位低信号３０５が入力状態となる。また、第２試験用信号４０２が入力状態となると、一致信号４０５が入力状態となる。
【００５１】
第１試験用信号３０２と第２試験用信号４０２とは、パターンテーブル２０１（図２参照）の試験用信号としてあらかじめ分類されているものとする。同様に、警報抑制信号や通信異常信号も、パターンテーブル２０１（図２参照）においてあらかじめ分類されているものとする。
【００５２】
パターン選択部１０３においてユーザーから入力された入力信号に従って、省略情報格納部１０２のパターンテーブル２０１における、通常運転時２０２、定期点検時２０３、起動時２０４いずれかのプラントの運転状態が選択される（図２参照）。なお、パターン選択部１０３によらない場合でも、プラントの運転状態を自動的に参照し、パターンテーブル２０１における設定が選択される場合であってもよい。
【００５３】
ここで、通常運転時２０２が選択されると、信号省略部１０４において、制御図面格納部１０１における制御図面から、第１試験用信号３０２、第２試験用信号４０２が自動的に省略される。
【００５４】
また、定期点検時２０３が選択されると、信号省略部１０４において、制御図面格納部１０１における制御図面から、第１警報抑制信号４０９が自動的に省略される。
【００５５】
同様に、起動時２０４が選択されると、信号省略部１０４において、制御図面格納部１０１における制御図面から、第１試験用信号３０２、第２試験用信号４０２が自動的に省略される。
【００５６】
例えば、通常運転時２０２が選択されたと仮定する。すると、信号省略部１０４では、パターンテーブル２０１の通常運転時２０２における設定に基づいて、制御図面３０１から第１試験用信号３０２を、制御図面４０１から第２試験用信号４０２を、それぞれ省略する。
【００５７】
このとき省略されるシンボルおよび接続線を、制御図面５０１（図５参照）および制御図面６０１（図６参照）における点線５０３、点線６０２でそれぞれ表す。
【００５８】
図５および図６にそれぞれ示すように、信号省略部１０４によって、第１試験用信号３０２と、第２試験用信号４０２とがそれぞれ省略される。
【００５９】
さらに、当該省略処理を行った後の省略図面７０１（図７参照）、省略図面８０１（図８参照）をそれぞれ示す。省略図面７０１および省略図面８０１は、省略図面格納部１０５に格納される。なお表示部１０８において、これらの省略図面７０１、省略図面８０１を直接表示することも可能である。
【００６０】
次に信号間関係抽出部１０６では、省略図面格納部１０５に格納された省略図面７０１に記述されたシンボルである、水位信号３０４、弁１開信号３０３、水位低信号３０５の信号間の関係と、省略図面８０１に記述されたシンボルである、圧力低信号４０４、水位低信号４０３、一致信号４０５の信号間の関係とが、それぞれ抽出される。これらのシンボルは、論理演算子でないシンボルであって、有向グラフ９０１においてノードとなるものである。それら信号間の関係は信号間関係格納部１０７に格納される。
【００６１】
次に表示部１０８では、信号間関係格納部１０７に格納された情報を用いて、有向グラフ９０１を生成して表示する（図９参照）。有向グラフ９０１において示されたノードのうち、例えば、水位信号９０３は省略図面７０１の水位信号３０４に対応し、水位低信号９０４は省略図面７０１の水位低信号３０５および省略図面８０１の水位低信号４０３に対応し、一致信号９０２は省略図面８０１の一致信号４０５に対応する。
【００６２】
図９のように有向グラフ９０１において示されたノードのうち、例えば、ユーザーにより一致信号９０２、水位信号９０３、水位低信号９０４がそれぞれ選択されたと仮定する。
【００６３】
水位信号９０３と一致信号９０２とは、エッジ９０５およびエッジ９０６を介して接続されている。すなわち、エッジ９０５は、選択されたノードである水位信号９０３と水位低信号９０４とに挟まれ、エッジ９０６は、選択されたノードである水位低信号９０４と一致信号９０２とに挟まれている。ここで、エッジ９０５は省略図面７０１（第１省略図面）から弁１開信号３０３の部分を除いた図面に対応し、エッジ９０６は省略図面８０１（第１省略図面）から第１警報抑制信号４０９の部分を除いた図面に対応している。
【００６４】
このような場合、表示部１０８では、省略図面７０１（第１省略図面）に対応する画面１００２（第３省略図面）と、省略図面８０１（第１省略図面）に対応する画面１００３（第３省略図面）とを、例えば図１０のように並べて表示することができる。画面１００２および画面１００３においては、省略図面７０１および省略図面８０１におけるシンボルおよび接続線の接続関係が、エッジに対応する範囲においてそのまま示されている。このとき、有向グラフ９０１の表示は、行わなくてもよいし、別の画面に表示しておいてもよい。
【００６５】
図１０の例では、表示すべき省略図面（第３省略図面）は２枚であったが、選択したノードに挟まれたエッジがさらに存在し、表示すべき省略図面が多くなる場合もある。そのような場合には、例えば図１１に示す表示画面１００１のように、複数の省略図面１１０２を有向グラフ９０１における接続順に一列に並べ、スクロールバーやドラッグ等で横にスクロールさせながら、ディスプレイの表示範囲１１０１内に表示することができる。
【００６６】
このように表示することで、よりプラント制御ロジックの全体像を把握しやすくなる。
【００６７】
ただし、省略図面１１０２の表示を変化させる方法は、図１１で示すスクロール方法に限定されるものではない。
【００６８】
＜変形例＞
本実施の形態においては、制御図面格納部１０１、省略情報格納部１０２、省略図面格納部１０５、信号間関係格納部１０７は、それぞれ制御図面表示装置に備えられるものとしているが、外部に備えられた記憶媒体から適宜参照し、格納されているデータを利用する構成であってもよい。
【００６９】
また、第１省略図面としての省略図面７０１や省略図面８０１を、直接、表示部１０８に表示する場合には、信号間関係抽出部１０６や信号間関係格納部１０７、信号選択部１０９は備えられなくてもよい。
【００７０】
＜効果＞
本発明に係る実施の形態によれば、制御対象としてのプラントの制御に関する制御ロジックを記述する、制御図面を表示する制御図面表示装置において、プラントの運転状態に応じて、制御図面において記述された各シンボルおよび各シンボルを接続する接続線の、表示または省略を設定した、パターンテーブルを格納するパターンテーブル格納部としての省略情報格納部１０２と、プラントの運転状態を参照し、かつ、パターンテーブルにおける設定に基づいて、制御図面におけるシンボルおよび接続線の表示を省略した、第１省略図面としての省略図面７０１や省略図面８０１を生成する第１省略部としての信号省略部１０４と、省略図面７０１や省略図面８０１を表示する表示部１０８とを備える。
【００７１】
このような制御図面表示装置によれば、プラントの運転状態に応じてパターン設定された、特定の種別のシンボルおよび接続線の表示を省略でき、ユーザーがプラントのある運転状態において注目すべき、シンボルおよび接続線のみを記述した省略図面を生成することができ、ユーザーは、表示部１０８に表示される省略図面を用いることで、プラント制御ロジックの全体像を容易に把握することができる。
【００７２】
また、本発明に係る実施の形態によれば、制御図面表示装置において、第１省略図面としての省略図面７０１や省略図面８０１におけるシンボルのうち、論理演算子でないシンボルをノードとし、ノード同士を、省略図面７０１や省略図面８０１における接続関係に基づいてエッジを介して接続して記述した、第２省略図面としての有向グラフ９０１を生成する第２省略部としての信号間関係抽出部１０６をさらに備え、表示部１０８が、有向グラフ９０１を表示する。
【００７３】
このような制御図面表示装置によれば、論理演算子を除くシンボル同士の直接的な関係（信号間関係）が容易に把握できる有向グラフ９０１を表示部１０８において表示することができ、よりプラント制御ロジックの全体像が把握しやすくなる。
【００７４】
また、本発明に係る実施の形態によれば、制御図面表示装置において、第２省略図面としての有向グラフ９０１において表示されたノードを、複数選択するノード選択部としての信号選択部１０９をさらに備え、表示部１０８が、信号選択部１０９において選択されたノードに挟まれたエッジに対応する、第１省略図面としての省略図面７０１や省略図面８０１におけるシンボルおよび接続線を、省略図面７０１や省略図面８０１における接続関係に基づいて記述した、第３省略図面としての、図面１００２や図面１００３を表示する。
【００７５】
このような制御図面表示装置によれば、有向グラフ９０１を表示することによって全体像を把握できた場合に、ユーザーが注目する部分のエッジについて、省略処理後のシンボルおよび接続線をさらに表示させることができ、必要な部分のロジック構成のみを詳細に把握することができる。
【００７６】
また、本発明に係る実施の形態によれば、制御図面表示装置において、ノード選択部としての信号選択部１０９において選択されたノードに挟まれたエッジが複数存在し、複数のエッジに対応して第３省略図面としての省略図面１１０２がそれぞれ存在する場合、表示部１０８が、表示範囲１１０１において省略図面１１０２をスライドさせて表示する。
【００７７】
このような制御図面表示装置によれば、複数の省略図面が表示部１０８の表示範囲１１０１内に表示しきれない場合であっても、容易に表示を切り替えることができ、プラント制御ロジックの全体像を把握することが容易となる。
【００７８】
また、省略図面の表示配置については、特に制限するものではないが、有向グラフ９０１における接続順に配置すると、より全体像の把握が容易となる。
【００７９】
また、本発明に係る実施の形態によれば、制御図面表示装置において、制御対象であるプラントの運転状態を選択する運転状態選択部としてのパターン選択部１０３をさらに備え、第１省略部としての信号省略部１０４が、パターン選択部１０３において選択されたプラントの運転状態を参照し、かつ、パターンテーブルにおける設定に基づいて第１省略図面としての省略図面７０１や省略図面８０１を生成する。
【００８０】
このような制御図面表示装置によれば、プラントの運転状態に応じてパターンテーブル２０１を選択し、制御図面におけるシンボルおよび接続線を適切に省略して省略図面７０１や省略図面８０１を生成することができる。よって、プラント制御ロジックの全体像の把握が容易となる。
【００８１】
また、プラントの運転状態を、パターン選択部１０３で任意に選択することも可能であるので、実際のプラントの運転状態に限らず、プラント制御ロジックの試験等を行う際にも利便性が高まる。
【００８２】
なお本発明は、その発明の範囲内において、本実施の形態における任意の構成要素の変形もしくは省略が可能である。
【符号の説明】
【００８３】
１０１  制御図面格納部、１０２  省略情報格納部、１０３  パターン選択部、１０４  信号省略部、１０５  省略図面格納部、１０６  信号間関係抽出部、１０７  信号間関係格納部、１０８  表示部、１０９  信号選択部、２０１  パターンテーブル、２０２  通常運転時、２０３  定期点検時、２０４  起動時、３０１，４０１，５０１，６０１  制御図面、３０２  第１試験用信号、３０３  弁１開信号、３０４，９０３  水位信号、３０５，４０３，９０４  水位低信号、３０６  下限モニタ、３０７，４０８  ＡＮＤゲート、３０８，４０６，４０７  ＯＲゲート、４０２  第２試験用信号、４０４  圧力低信号、４０５，９０２  一致信号、４０９  第１警報抑制信号、４１０  ＮＯＴゲート、５０３，６０２  点線、７０１，８０１，１１０２  省略図面、９０１  有向グラフ、９０５，９０６  エッジ、１００１  表示画面、１００２，１００３  図面、１１０１  表示範囲。
【図１】
2013156970.tif 000003
【図２】
2013156970.tif 000004
【図３】
2013156970.tif 000005
【図４】
2013156970.tif 000006
【図５】
2013156970.tif 000007
【図６】
2013156970.tif 000008
【図７】
2013156970.tif 000009
【図８】
2013156970.tif 000010
【図９】
2013156970.tif 000011
【図１０】
2013156970.tif 000012
【図１１】
2013156970.tif 000013